(57)【要約】【課題】拡張規格非対応のデジタル放送受信機が拡張規格の制御情報が記載されたＥＭＭを、誤って又は一斉配信により受信しても誤動作することがないＥＭＭを生成する放送事業者装置を提供することを目的とする。【解決手段】放送事業者装置２１は、ネットワークアクセス端末１１からの信号を受信する受信部と、受信した信号が、周辺機器４１向けの拡張規格の制御信号であるか否かを識別する識別部と、識別部が受信した信号が拡張規格の制御信号であると識別した場合、拡張規格に対応していないデジタル放送受信機が、拡張規格の制御信号を含む放送事業者装置２１からの信号を受信した際に、拡張規格の制御信号を破棄する放送事業者装置２１からの信号の領域に拡張規格の制御信号を挿入する信号生成部と、生成された放送事業者装置２１からの信号を前記デジタル放送受信機に送出する送出部と、を備える。【選択図】図１
2010050510.tif 000002
【特許請求の範囲】
【請求項１】
ネットワークアクセス端末と、
放送事業者装置と、
前記放送事業者装置からの信号を受信するデジタル放送受信機と、
前記デジタル放送受信機により制御される周辺機器と、
を含むデジタル放送ネットワークシステムにおける放送事業者装置であって、
前記デジタル放送受信機は、前記周辺機器向けの拡張規格に対応した第１のデジタル放送受信機と、前記周辺機器向けの拡張規格に対応していない第２のデジタル放送受信機からなり、
前記放送事業者装置は、
前記ネットワークアクセス端末からの信号を受信する受信部と、
前記受信部で受信した信号が、前記周辺機器向けの拡張規格の制御信号であるか否かを識別する識別部と、
前記識別部が前記受信部で受信した信号は拡張規格の制御信号であると識別した場合、前記第２のデジタル放送受信機が前記拡張規格の制御信号を含む前記放送事業者装置からの信号を受信した際に、前記拡張規格の制御信号を破棄する前記放送事業者装置からの信号の領域に前記拡張規格の制御信号を挿入する信号生成部と、
前記信号生成部により生成された放送事業者装置からの信号を前記デジタル放送受信機に送出する送出部と、
を備えることを特徴とする放送事業者装置。
【請求項２】
前記識別部は、さらに、
前記拡張規格の制御信号が、前記デジタル放送ネットワークシステムの特定の加入者宅のデジタル放送受信機向け又は、前記デジタル放送ネットワークシステムの加入者宅への一斉配信のいずれであるか識別する
ことを特徴とする請求項１に記載の放送事業者装置。
【請求項３】
前記識別部が、前記拡張規格の制御信号が、前記デジタル放送ネットワークシステムの特定の加入者宅のデジタル放送受信機向けと識別した場合、
前記信号生成部は、ＥＭＭ個別メッセージにおけるメッセージコード領域の差分フォーマット番号に前記拡張規格の制御信号が挿入されていることを示す情報を挿入し、差分情報に前記拡張規格の制御信号を挿入する
ことを特徴とする請求項２に記載の放送事業者装置。
【請求項４】
前記識別部が、前記拡張規格の制御信号が、前記デジタル放送ネットワークシステムの加入者宅への一斉配信と識別した場合、
前記信号生成部は、ＥＭＭ共通メッセージにおけるフォーマット番号に前記拡張規格の制御信号が挿入されていることを示す情報を挿入し、メッセージコード本体に前記拡張規格の制御信号を挿入する
ことを特徴とする請求項２に記載の放送事業者装置。
【発明の詳細な説明】
【技術分野】
【０００１】
本発明は、デジタル放送ネットワークを利用してデジタル放送受信機の周辺機器を制御するデジタル放送ネットワークシステム、特に放送事業者装置に関するものである。
【背景技術】
【０００２】
従来のデジタル放送ネットワークシステムにおけるデジタル放送の限定受信方式は、例えば日本においては、電波産業会（Ａｓｓｏｃｉａｔｉｏｎ ｏｆ Ｒａｄｉｏ Ｉｎｄｕｓｔｒｉｅｓ ａｎｄ Ｂｕｓｉｎｅｓｓｅｓ：以下、ＡＲＩＢと称す）で規格化されており、ＥＭＭ（Ｅｎｔｉｔｌｅｍｅｎｔ Ｍａｎａｇｅｍｅｎｔ Ｍｅｓｓａｇｅ）を用いて、デジタル放送受信機の通電制御、特定チャンネル受信制御やＥＭＭメッセージ制御等を行っており、ＥＭＭを用いてデジタル放送受信機の周辺機器の制御を行っているもの（例えば、特許文献１）や、ＥＭＭを用いて緊急告知情報をデジタル放送受信機へ送信しているものもある（例えば、特許文献２）。
【特許文献１】特開２００２−１１２３５８号公報
【特許文献２】特開平１１−１６３８１２号公報
【発明の開示】
【発明が解決しようとする課題】
【０００３】
しかしながら、従来のＥＭＭを用いてデジタル放送受信機の周辺機器の制御を行う方法では、ＡＲＩＢ等の団体又は協会により広く一般に規格化された放送方式（以降、放送規格と称す）以外の制御で、個々のデジタル放送ネットワークシステムで独自に拡張された規格や機能（以降、拡張規格と称す）での制御（以降、拡張規格の制御）を行う場合、ＥＭＭに拡張規格の制御信号を記載するため、拡張規格の制御に対応していないデジタル放送受信機（以降、拡張規格非対応のデジタル放送受信機）が、拡張規格の制御信号が記載されたＥＭＭを誤って受信した際、誤動作を起こす可能性がある課題を有していた（例えば、特許文献１）。また、緊急告知情報のように、デジタル放送ネットワークシステム配下の全てのデジタル放送受信機に対してＥＭＭを一斉配信する場合に、拡張規格の制御信号が記載されたＥＭＭを受信した拡張規格非対応のデジタル放送受信機が、誤動作を起こす可能性がある課題を有していた（例えば、特許文献２参照）。
【０００４】
本発明は、前記従来の課題を解決するもので、ＥＭＭを用いて拡張規格の制御を行う場合に、拡張規格非対応のデジタル放送受信機が拡張規格の制御信号が記載されたＥＭＭを、誤って又は一斉配信により受信しても誤動作することがないＥＭＭを生成する放送事業者装置を提供することを目的とする。
【課題を解決するための手段】
【０００５】
従来の課題を解決するために、本発明の放送事業者装置は、ネットワークアクセス端末と、放送事業者装置と、前記放送事業者装置からの信号を受信するデジタル放送受信機と、前記デジタル放送受信機により制御される周辺機器と、を含むデジタル放送ネットワークシステムにおける放送事業者装置であって、前記デジタル放送受信機は、前記周辺機器向けの拡張規格に対応した第１のデジタル放送受信機と、前記周辺機器向けの拡張規格に対応していない第２のデジタル放送受信機からなり、前記放送事業者装置は、前記ネットワークアクセス端末からの信号を受信する受信部と、前記受信部で受信した信号が、前記周辺機器向けの拡張規格の制御信号であるか否かを識別する識別部と、前記識別部が前記受信部で受信した信号は拡張規格の制御信号であると識別した場合、前記第２のデジタル放送受信機が前記拡張規格の制御信号を含む前記放送事業者装置からの信号を受信した際に、前記拡張規格の制御信号を破棄する前記放送事業者装置からの信号の領域に前記拡張規格の制御信号を挿入する信号生成部と、前記信号生成部により生成された放送事業者装置からの信号を前記デジタル放送受信機に送出する送出部と、を備えることを特徴とする。
【０００６】
本構成によって、拡張規格非対応のデジタル放送受信機が、拡張規格の制御情報が記載されたＥＭＭを誤って又は一斉配信により受信しても、当該ＥＭＭを破棄するので誤動作することがない。
【発明の効果】
【０００７】
本発明の放送事業者装置によれば、拡張規格非対応のデジタル放送受信機が、拡張規格の制御信号が記載されたＥＭＭを誤って受信しても当該ＥＭＭを破棄するので誤動作することがなく、放送事業者はＥＭＭの誤送信を心配する必要がない。また、デジタル放送ネットワークシステムにおいて、拡張規格の制御信号を一斉配信しても、拡張規格非対応のデジタル放送受信機は誤動作することはないので、放送事業者はデジタル放送ネットワークシステム配下の拡張規格の制御に対応したデジタル放送受信機（以降、拡張規格対応のデジタル放送受信機）を特定する必要がなく、拡張規格の制御信号をデジタル放送ネットワークシステム配下のデジタル放送受信機に一斉配信が可能となる。
【発明を実施するための最良の形態】
【０００８】
以下本発明を実施するための最良の形態について、図面を参照しながら説明する。
【０００９】
（実施の形態１）
図１は、本発明の実施の形態１におけるデジタル放送ネットワークシステムで、デジタル放送ネットワークシステムの加入者がネットワークアクセス端末からの遠隔操作でデジタル放送ネットワークシステムの当該加入者宅内のデジタル放送受信機の周辺機器を制御するシステム構成の一例である。
【００１０】
図１において、デジタル放送ネットワークシステム１は、ネットワークアクセス端末１１（例えば携帯電話機１２）、放送事業者装置２１、拡張規格対応のデジタル放送受信機３１及びその周辺機器４１（例えば、ＡＶ機器４２、宅内機器コントローラ４３、宅内機器コントローラ４３配下のライト４４、エアコン４５、シャッター４６、玄関鍵４７、風呂４８）、拡張規格非対応のデジタル放送受信機３２とから構成される。さらに、放送事業者装置２１は、受信サーバ２２、ＥＭＭ生成装置２３及びデジタル放送送出装置２４とから構成される。なお、本実施の形態においては、説明の簡便のため、拡張規格対応のデジタル放送受信機３１及び拡張規格非対応のデジタル放送受信機３２は、それぞれ１台ずつ存在するものとするが、これに限定されない。
【００１１】
次に、このように構成されたデジタル放送ネットワークシステム１の動作について、説明する。
【００１２】
デジタル放送ネットワークシステム１において、拡張規格対応のデジタル放送受信機３１を所有する加入者が、携帯電話機１２に当該加入者固有のユーザＩＤとパスワードを入力し、当該加入者宅の拡張規格対応のデジタル放送受信機３１の周辺機器４１を制御（ここでは一例として、拡張規格の制御である、加入者宅の宅内コントローラ４３配下のライト４４を点灯する制御を行うこととする）するための操作を行うと、当該加入者宅のライト４４の点灯制御信号、入力されたユーザＩＤ及びパスワードが携帯電話機１２からインターネット５１を経由して放送事業者装置２１に送信される。
【００１３】
携帯電話機１２から送信された当該加入者宅のライト４４の点灯制御信号、ユーザＩＤ及びパスワードは、放送事業者装置２１の受信サーバ２２で受信される。
【００１４】
受信サーバ２２は、受信した信号から、１．受信信号がデジタル放送ネットワークシステムに正規に登録された加入者からの信号か否か、２．受信信号が、当該加入者宅宛の信号であるか、又はデジタル放送ネットワークシステム配下の全ての加入者宅宛の一斉配信であるか、３．受信信号が、当該加入者宅のデジタル放送受信機の周辺機器を制御するための信号であるか否か、４．受信信号が、当該加入者宅のデジタル放送受信機の周辺機器を制御するための信号であると識別した場合、当該制御信号が放送規格や拡張規格の信号であるか否かの識別を行う。
【００１５】
受信サーバ２２は、受信したユーザＩＤ及びパスワードがデジタル放送ネットワークシステム１の正規に登録された加入者のものか否かの加入者認証を行い、受信したユーザＩＤ及びパスワードがデジタル放送ネットワークシステム１の正規に登録された加入者のものであることを確認すると、受信サーバ２２が蓄積する当該ユーザＩＤ及びパスワードと紐付けされた当該加入者固有のＣＡＳカードＩＤの読出しを行う。
【００１６】
本実施の形態において、受信サーバ２２は、受信信号は、デジタル放送ネットワークシステム１の正規に登録された加入者からの信号で、当該加入者宅宛の信号で、当該加入者宅のデジタル放送受信機３１の周辺機器４１の制御信号で、拡張規格の制御信号であるという識別結果、当該加入者のＣＡＳカードＩＤ及び当該加入者宅のライト４４の点灯制御信号をＥＭＭ生成装置２３に送信する。
【００１７】
ＥＭＭ生成装置２３は、受信サーバ２２から受信した識別結果に基づき、ＥＭＭ個別メッセージ又はＥＭＭ共通メッセージを生成する。本実施の形態においては、当該加入者宅宛の信号との識別結果に基づき、ＥＭＭ個別メッセージを生成する。
【００１８】
図２は、ＥＭＭ個別メッセージのセクション構造図である。ＥＭＭ個別メッセージは、当該ＥＭＭ個別メッセージがＥＭＭであることや、ＥＭＭの長さ、ＥＭＭ個別メッセージであるかＥＭＭ共通メッセージであるかを示すＥＭＭメッセージセクションヘッダ、Ｎ個（Ｎ＞０、Ｎは整数）のＥＭＭメッセージ本体及びメッセージの正確性を検証するＣＲＣ誤り検出で構成され、各ＥＭＭメッセージ本体はＥＭＭメッセージ非暗号化ヘッダと、デジタル放送ネットワークシステム加入者宅宛のメッセージや当該加入者宅の周辺機器を制御するための放送規格で定められた制御信号が書き込まれるメッセージコード領域から構成される。ＥＭＭメッセージ非暗号化ヘッダは、ＣＡＳカードＩＤが書き込まれるカードＩＤや、暗号アルゴリズムの種別を示すプロトコル番号等で構成される。メッセージコード領域は、更に具体的には、図３に示される構造となっており、デジタル放送ネットワークシステム加入者宅宛の放送規格で定められたメッセージや当該加入者宅の周辺機器を制御するための放送規格で定められた制御信号がＥＭＭ個別メッセージに含まれていることを示す放送規格で定められた値、例えば０ｘ０１、が差分フォーマット番号に記載され、当該メッセージや当該制御信号は、差分情報に記載される。拡張規格非対応のデジタル放送受信機は、差分フォーマット番号に０ｘ０１以外の値が記載されている場合、放送規格に従い、差分情報にメッセージや制御信号が記載されていてもそれらを取得せず、ＥＭＭ個別メッセージを破棄する。
【００１９】
ここで、ＥＭＭ生成装置２３は、受信サーバ２２から受信した識別結果に基づき、当該加入者宅のライト４４の点灯を制御するための拡張規格の制御信号が、ＥＭＭ個別メッセージに含まれていることを示す値で前述の０ｘ０１以外の拡張規格で定められた値、例えば０ｘ０２、を差分フォーマット番号に記載し、当該加入者宅のライト４４の点灯制御信号を差分情報に記載し、メッセージコード領域を当該加入者宅の拡張規格対応のデジタル放送受信機３１固有の暗号化鍵で暗号化した後、デジタル放送送出設備２４にＥＭＭ個別メッセージを送信する。
【００２０】
ＥＭＭ生成装置２３からＥＭＭ個別メッセージを受信したデジタル放送送出設備２４は、デジタル放送ネットワーク網６１を経由して、ＥＭＭ個別メッセージをデジタル放送ネットワークシステム１配下の全てのデジタル放送受信機に配信する。
【００２１】
当該加入者宅の拡張規格対応のデジタル放送受信機３１は、配信されたＥＭＭ個別メッセージを受信し、ＥＭＭ個別メッセージのカードＩＤに記載されたＣＡＳカードＩＤが当該加入者宅の拡張規格対応のデジタル放送受信機３１のＣＡＳカードＩＤと一致する場合、当該加入者宅の拡張規格対応のデジタル放送受信機３１固有の復号化鍵でメッセージコード領域を復号化し、メッセージコード領域の差分フォーマット番号に記載された値を確認する。拡張規格対応のデジタル放送受信機３１は、差分フォーマット番号に記載された値が放送規格で定められた値０ｘ０１以外の値、ここでは０ｘ０２、であっても、ＥＭＭ個別メッセージを破棄せず、差分情報から当該加入者宅のライト４４の点灯制御信号を取得し、宅内機器コントローラ４３に当該制御信号を送信する。宅内機器コントローラ４３は、受信した点灯制御信号に基づき、ライト４４を点灯する制御を行う。なお、本実施の形態においては、宅内機器コントローラ４３を介してライト４４を点灯する制御を行ったが、拡張規格対応のデジタル放送受信機３１が直接周辺機器４１を制御するようにしても良い。
【００２２】
当該加入者宅の拡張規格対応のデジタル放送受信機３１は、当該加入者宅のライト４４を制御した結果を、通信ネットワーク６２を経由して、受信サーバ２２に通知する。
【００２３】
受信サーバ２２は、当該加入者宅の拡張規格対応のデジタル放送受信機３１から受信したライト４４の制御結果をインターネットメール５２を経由して、制御の指示を行った当該加入者の携帯電話機１２に送信する。
【００２４】
ここで、ＥＭＭ生成装置２３が、ＥＭＭ個別メッセージを生成する際に、ＣＡＳカードＩＤの記載を誤り、拡張規格非対応のデジタル放送受信機３２のＣＡＳカードＩＤをＥＭＭ個別メッセージのカードＩＤに記載し、デジタル放送ネットワーク網６１を経由して、ＥＭＭ個別メッセージをデジタル放送ネットワークシステム１配下の全てのデジタル放送受信機に配信した場合、拡張規格非対応のデジタル放送受信機３２は、ＥＭＭ個別メッセージのカードＩＤに記載されたＣＡＳカードＩＤが当該デジタル放送受信機３２のＣＡＳカードＩＤと一致するか否かの確認を行い、ＣＡＳカードＩＤの一致が確認された場合、ＥＭＭ個別メッセージの暗号化を解除し、差分フォーマット番号に０ｘ０１が記載されていないことを確認すると、放送規格に従い、差分情報に記載された拡張規格対応のデジタル放送受信機３１のライト４４の点灯制御信号を取得せず、ＥＭＭ個別メッセージを破棄するので、拡張規格非対応のデジタル放送受信機３２が拡張規格の制御信号を記載したＥＭＭを誤って受信しても誤動作することはない。
【００２５】
（実施の形態２）
図４は、本発明の実施の形態２におけるデジタル放送ネットワークシステムで、気象庁からの地震警報をデジタル放送ネットワークシステムの加入者宅内のデジタル放送受信機に接続された地震警報器に一斉配信によって通知するシステム構成の一例である。なお、図１と同様である構成については、同一符号を付している。
【００２６】
図４において、デジタル放送ネットワークシステム１は、気象庁の地震警報送出設備１３、放送事業者装置２１、拡張規格対応のデジタル放送受信機３１及びそれらの周辺機器４１として地震警報機４９、拡張規格非対応のデジタル放送受信機３２とから構成される。
【００２７】
次に、このように構成されたデジタル放送ネットワークシステム１の動作について、説明する。
【００２８】
地震が発生すると、デジタル放送ネットワークシステム１において、気象庁の地震警報送出設備１３から、デジタル放送ネットワークシステム１の加入者宅内の拡張規格に対応したデジタル放送受信機３１配下の地震警報器４９を制御するための制御信号が、専用の通信ネットワーク５３を経由して放送事業者装置２１に送信される。なお、本実施の形態において、地震警報器４９を制御するための当該制御信号は、拡張機能の制御信号であるとする。また、気象庁の地震警報送出装置１３と放送事業者装置２１とは、専用の通信ネットワーク５３で接続されているので、地震警報送出装置１３から放送事業者装置２１へはユーザＩＤ及びパスワードの送信や、後述する受信サーバ２２による加入者認証及びＣＡＳカードＩＤの読出しは実施されない。
【００２９】
地震警報送出設備１３から送信された地震警報器４９の制御信号は、放送事業者装置２１の受信サーバ２２で受信される。
【００３０】
受信サーバ２２は、１．受信信号が、特定の加入者宅宛の信号であるか、又はデジタル放送ネットワークシステム配下の全ての加入者宅宛の一斉配信であるか、２．受信信号が、加入者宅のデジタル放送受信機の周辺機器を制御するための信号であるか否か、３．受信信号が、加入者宅のデジタル放送受信機の周辺機器を制御するための信号であると識別した場合、当該制御信号が放送規格や拡張機能に対応した信号であるか否かの識別を行う。本実施の形態において、受信サーバ２２は、受信信号は、デジタル放送ネットワークシステム１の加入者宅への一斉配信であり、当該加入者宅のデジタル放送受信機３１の周辺機器４１の制御信号で、拡張規格の制御信号であるという識別結果と、当該加入者宅内の拡張規格に対応したデジタル放送受信機３１配下の地震警報器４９を制御するための制御信号をＥＭＭ生成装置２３に送信する。
【００３１】
ＥＭＭ生成装置２３は、受信サーバ２２から受信した識別結果に基づき、ＥＭＭ個別メッセージ又はＥＭＭ共通メッセージを生成する。本実施の形態においては、デジタル放送ネットワークシステム１の加入者宅宛の一斉配信との識別結果に基づき、ＥＭＭ共通メッセージを生成する。
【００３２】
図５は、ＥＭＭ共通メッセージのセクション構造図である。ＥＭＭ共通メッセージは、当該ＥＭＭ共通メッセージがＥＭＭであることや、ＥＭＭの長さ、ＥＭＭ個別メッセージであるかＥＭＭ共通メッセージであるかを示すＥＭＭメッセージセクションヘッダ、ＥＭＭメッセージ本体及びメッセージの正確性を検証するＣＲＣ誤り検出で構成され、ＥＭＭメッセージ本体は、さらに固定部と可変部から構成される。固定部のフォーマット番号には、放送規格で定められたデジタル放送ネットワークシステム加入者宅宛の共通のメッセージや当該加入者宅の周辺機器を制御するための制御信号がＥＭＭ共通メッセージに含まれていることを示す放送規格で定められた値、例えば０ｘ０１、が記載される。また、可変部のメッセージ本体には、当該共通メッセージや当該制御情報が記載される。拡張規格非対応のデジタル放送受信機は、フォーマット番号に０ｘ０１以外の値が記載されている場合、放送規格に従い、メッセージコード本体にメッセージや制御信号が記載されていてもそれらを取得せず、ＥＭＭ共通メッセージを破棄する。
【００３３】
ここでＥＭＭ生成装置２３は、受信サーバ２２から受信した識別結果に基づき、拡張規格対応のデジタル放送受信機３１の地震警報器４９を制御するための拡張規格の制御信号がＥＭＭ共通メッセージに含まれていることを示す値で前述の０ｘ０１以外の拡張規格で定められた値、例えば０ｘ０３、をフォーマット番号に記載し、拡張規格対応のデジタル放送受信機３１の地震警報器４９の制御信号をメッセージコード本体に記載し、デジタル放送送出設備２４にＥＭＭ共通メッセージを送信する。
【００３４】
ＥＭＭ生成装置２３からＥＭＭ共通メッセージを受信したデジタル放送送出設備２４は、デジタル放送ネットワーク網６１を経由して、ＥＭＭ共通メッセージをデジタル放送ネットワークシステム１配下の全てのデジタル放送受信機に配信する。
【００３５】
デジタル放送ネットワークシステム１配下の全てのデジタル放送受信機は、配信されたＥＭＭ共通メッセージを受信し、ＥＭＭメッセージ本体の固定部のフォーマット番号に記載された値を確認する。
【００３６】
拡張規格対応のデジタル放送受信機３１は、放送規格で定められた値０ｘ０１以外の値、ここでは０ｘ０３、であっても、ＥＭＭ共通メッセージを破棄せず、メッセージコード本体から地震警報器４９の制御信号を取得し、取得した制御信号に基づき、地震警報器４９の制御を行う。
【００３７】
拡張規格非対応のデジタル放送受信機３２は、ＥＭＭメッセージ本体の固定部のフォーマット番号に０ｘ０１以外の値が記載されている場合は、放送規格に従い、可変部のメッセージコード本体に記載された拡張規格対応のデジタル放送受信機３１の地震警報器４９の制御信号を取得せず、ＥＭＭ共通メッセージを破棄するので、拡張規格非対応のデジタル放送受信機を含むデジタル放送ネットワークシステム１において、拡張規格の制御信号を一斉配信しても、拡張規格非対応のデジタル放送受信機は誤動作することはない。
【産業上の利用可能性】
【００３８】
本発明にかかる放送事業者装置は、拡張規格非対応のデジタル放送受信機が拡張規格の制御情報が記載されたＥＭＭを、誤って又は一斉配信により受信しても誤動作することがないＥＭＭを生成するので、ＥＭＭの誤送信を心配する必要がなく又、デジタル放送ネットワーク配下の拡張規格対応のデジタル放送受信機を特定する必要がなく、拡張規格の制御信号をデジタル放送ネットワーク配下のデジタル放送受信機に一斉配信が可能となるものであり、デジタル放送ネットワークを利用してデジタル放送受信機の周辺機器を制御するデジタル放送ネットワークシステム等として有用である。
【図面の簡単な説明】
【００３９】
【図１】本発明の実施の形態１における、デジタル放送ネットワークシステムの構成図
【図２】本発明の実施の形態１における、ＥＭＭ個別メッセージのセクション構造図
【図３】本発明の実施の形態１における、ＥＭＭ個別メッセージのメッセージコード領域の構造図
【図４】本発明の実施の形態２における、デジタル放送ネットワークシステムの構成図
【図５】ＥＭＭ共通メッセージのセクション構造図
【符号の説明】
【００４０】
１    デジタル放送ネットワークシステム
１１    ネットワークアクセス端末
１２    携帯電話機
１３    地震警報送出設備
２１    放送事業者装置
２２    受信サーバ
２３    ＥＭＭ生成装置
２４    デジタル放送送出設備
３１    拡張規格対応のデジタル放送受信機
３２    拡張規格非対応のデジタル放送受信機
４１    周辺機器
４２    ＡＶ機器
４３    宅内機器コントローラ
４４    ライト
４５    エアコン
４６    シャッター
４７    玄関鍵
４８    風呂
４９    地震警報器
５１    インターネット
５２    インターネットメール
５３    専用の通信ネットワーク
６１    デジタル放送ネットワーク網
６２    通信ネットワーク
【図１】
2010050510.tif 000003
【図２】
2010050510.tif 000004
【図３】
2010050510.tif 000005
【図４】
2010050510.tif 000006
【図５】
2010050510.tif 000007